(57)【要約】      （修正有）【課題】基地局とユーザ機器との間で通信するための改善された技法を提供する。【解決手段】ＲＡＣＨプロシージャを開始した後に、接続を確立することに失敗すると、アップリンク・チャネルのリソース・ブロックの定義されたセットを使用して、ＲＡＣＨプリアンブル・シグネチャを繰り返して送信するステップを含んでいる。修正ＲＡＣＨプロシージャは、アップリンク・チャネルから繰り返して割り付けられるリソース・ブロックの繰り返すセットを使用して、繰り返してＲＡＣＨプリアンブル・シグネチャを送信する。これは、ＲＡＣＨプリアンブル・シグネチャが、繰り返して送信されることを可能にしており、その結果、例えば、地階に位置しているＭＴＣデバイスなど、不十分なカバレッジ・エリアにおけるネットワーク・ノードによって送信されるＲＡＣＨプリアンブル・シグネチャの存在を検出するために、ネットワークによって結合されることもある。【選択図】図１
2018056997.tif 000002
【特許請求の範囲】
【請求項１】
ワイヤレス電気通信ネットワークの方法において、
−  アップリンク・チャネルのリソースを異なるセットに割り当てるステップであって、各セットが前記アップリンク・チャネルのサブフレーム内のいくつかのリソース・ブロックを含み、定義されたセット内のリソース・ブロックがユーザ機器（ＵＥ）から前記ネットワークへのＲＡＣＨプリアンブル・シグネチャの繰り返し送信に割り当てられ、リソース・ブロックのグループの異なる定義されたセットが異なる条件に対して最適化される、ステップと、
−  前記異なる定義されたセットを含み前記割り当てられたリソースを基地局から前記ＵＥへ指し示すステップと、
−  前記ＵＥが、前記ＵＥが経験している状態に基づいて受信された前記定義されたセットのうちの１つを選択するステップと、
−  前記選択された定義されたセット内のリソース・ブロックを使用して前記ＵＥから前記基地局へＲＡＣＨプリアンブル・シグネチャの繰り返しを送信するステップと
を備える方法。
【請求項２】
前記ＵＥが所定の数の試みの後に前記ネットワークにアクセスすることに失敗する場合、他のセットを選択し、前記選択された他のセット内のリソース・ブロックを使用して前記ＵＥから前記基地局へＲＡＣＨプリアンブル・シグネチャの繰り返しを送信するステップをさらに含む、請求項１に記載の方法。
【請求項３】
前記選択するステップが、最強の受信されたパイロットに基づいている、請求項１に記載の方法。
【請求項４】
前記ＵＥがマシン型通信（ＭＴＣ）デバイスであり、送信されるべきＲＡＣＨプリアンブル・シグネチャの繰り返しの前記量がＭＴＣデバイス特有である、請求項１乃至３のいずれか１項に記載の方法。
【請求項５】
前記割り当てがＲＡＣＨ信号方式のためのリソースの２つのタイプのセット、すなわち、リソースの組み合わせセットとリソースの非組み合わせセットを含み、前記非組み合わせセットの中の前記リソースが前記組み合わせセットの中の前記リソースとオーバーラップする可能性がある、請求項１に記載の方法。
【請求項６】
ワイヤレス電気通信ネットワークのための基地局であって、前記基地局が、
−  割り当てられたリソースであって、前記割り当てられたリソースが異なるセットに割り当てられたアップリンク・チャネルのリソースであり、各セットが前記アップリンク・チャネルのサブフレームの中にいくつかのリソース・ブロックを含み、定義されたセットの中のリソース・ブロックがユーザ機器（ＵＥ）から前記ネットワークへのＲＡＣＨプリアンブル・シグネチャの繰り返し送信に割り当てられ、リソース・ブロックのグループの異なる定義されたセットが異なる条件に対して最適化される、割り当てられたリソースを前記ＵＥへ指し示し、
−  前記ＵＥによって選択された定義されたセットの中のリソース・ブロックを使用して前記ＵＥから受信されたＲＡＣＨプリアンブル・シグネチャの繰り返しを検出するように試み、
−  ＲＡＣＨプリアンブル・シグネチャの検出のすぐ後に、ランダム・アクセス応答メッセージを前記ＵＥへ向けて送信する
ように構成されたプロセッサを備える、基地局。
【請求項７】
ワイヤレス電気通信ネットワークのためのユーザ機器（ＵＥ）であって、前記ＵＥが、
−  割り当てられたリソースであって、前記割り当てられたリソースが異なるセットに割り当てられたアップリンク・チャネルのリソースであり、各セットが前記アップリンク・チャネルのサブフレームの中にいくつかのリソース・ブロックを含み、定義されたセットの中のリソース・ブロックが前記ＵＥから前記ネットワークへのＲＡＣＨプリアンブル・シグネチャの繰り返し送信に割り当てられ、リソース・ブロックのグループの異なる定義されたセットが異なる条件に対して最適化される、割り当てられたリソースについての表示を受信し、
−  前記ＵＥが経験している状態に基づいて前記受信された定義されたセットのうちの１つを選択し、
−  前記選択された定義されたセットの中のリソース・ブロックを使用して前記ＵＥから基地局へ向けてＲＡＣＨプリアンブル・シグネチャの繰り返しを送信する
ように構成されたプロセッサを備える、ＵＥ。
【請求項８】
前記送信するステップが、前記アップリンク・チャネルのリソース・ブロックの定期的に繰り返す定義されたセットを使用して、同一のＲＡＣＨプリアンブル・シグネチャを繰り返し送信するステップを含む、請求項１に記載の方法。
【請求項９】
リソース・ブロックの前記定期的に繰り返す定義されたセットが、前記アップリンク・チャネルのサブフレームの定期的に繰り返す選択内のリソース・ブロックの定期的に繰り返すグループを含む、請求項８に記載の方法。
【請求項１０】
前記繰り返し送信するステップが、サブフレームの前記定期的に繰り返す選択内のリソース・ブロックの各々の定期的に繰り返すグループの中で、前記同一のＲＡＣＨプリアンブル・シグネチャを繰り返して送信するステップを含む、請求項９に記載の方法。  
【請求項１１】
前記同一のＲＡＣＨプリアンブル・シグネチャがＲＡＣＨプリアンブル・シグネチャのシーケンスを含み、前記送信するステップが、サブフレームの前記定期的に繰り返す選択内で、リソース・ブロックの前記定期的に繰り返すグループを使用して、ＲＡＣＨプリアンブル・シグネチャの前記シーケンスを前記繰り返し送信するステップを含む、請求項８乃至１０のいずれか１項に記載の方法。
【請求項１２】
複数の前記定期的に繰り返す定義されたセットについての表示を受信するステップをさらに含む、請求項８乃至１１のいずれか１項に記載の方法。
【請求項１３】
各々の定義されたセットが、選択されたサブフレームから選択されたサブバンドからのリソース・ブロックの選択されたグループを含む、請求項１に記載の方法。
【請求項１４】
前記少なくとも１つの定義されたセットが、選択されたサブフレームからのサブバンドのエッジにおける選択されたリソース・ブロックの少なくとも１つの不連続のグループを含む、請求項１に記載の方法。
【請求項１５】
前記定義されたセットとして、各々の前記サブバンドの内部にリソース・ブロックを有する複数の前記定義されたセットのうちの１つを選択するステップをさらに含む、請求項１３または１４に記載の方法。
【請求項１６】
最強の受信されたパイロットのサブバンドを決定し、前記定義されたセットとして、主として前記サブバンドの内部にリソース・ブロックを有する複数の前記定義されたセットのうちの１つを選択するステップをさらに含む、請求項１に記載の方法。
【請求項１７】
ランダム・アクセス応答メッセージが受信されるときに、前記ＲＡＣＨプリアンブル・シグネチャを送信することを停止するステップをさらに含む、請求項１に記載の方法。
【請求項１８】
ＲＡＣＨプロシージャを開始した後に、接続を確立することに失敗すると、アップリンク・チャネルのリソース・ブロックの定義されたセットを使用して、ＲＡＣＨプリアンブル・シグネチャを繰り返し送信するように動作可能な送信ロジック
をさらに備える、請求項７に記載のＵＥ。
【請求項１９】
前記プロセッサが、ＲＡＣＨプリアンブル・シグネチャを検出するために、アップリンク・チャネルのリソース・ブロックの定義されたセットを使用して受信される信号を繰り返し結合するようにさらに動作可能である、請求項６に記載の基地局。
【発明の詳細な説明】
【技術分野】
【０００１】
本発明は、ワイヤレス電気通信方法、コンピュータ・プログラム製品およびネットワーク・ノードに関する。
【背景技術】
【０００２】
ワイヤレス電気通信システムが、知られている。セルラー方式システムにおいては、無線カバレッジは、セルとして知られているエリアにより、ユーザ機器、例えば、携帯電話に対して提供される。基地局は、無線カバレッジを提供するために、各セルの中に位置している。各セルにおけるユーザ機器は、基地局から情報とデータとを受信し、また基地局に対して情報とデータとを送信する。
【０００３】
ユーザ機器に対して基地局によって送信される情報とデータとは、ダウンリンク・チャネルとして知られている、無線キャリアのチャネル上に現れる。基地局に対してユーザ機器によって送信される情報とデータとは、アップリンク・チャネルとして知られている無線キャリアのチャネルの上に現れる。基地局の展開は、ネットワーク・オペレータによって大いに制御可能であるが、ユーザ機器の展開は、制御可能ではない。ネットワークの内部のユーザ機器の展開は、予想外の結果を引き起こす可能性がある。
【発明の概要】
【発明が解決しようとする課題】
【０００４】
したがって、基地局とユーザ機器との間で通信するための改善された技法を提供することが、望ましい。
【課題を解決するための手段】
【０００５】
第１の態様によれば、ＲＡＣＨプロシージャを開始した後に、接続を確立することに失敗すると、アップリンク・チャネルのリソース・ブロックの定義されたセットを使用して、ＲＡＣＨプリアンブル・シグネチャ（ＲＡＣＨ  ｐｒｅａｍｂｌｅ  ｓｉｇｎａｔｕｒｅ）を繰り返して送信するステップを含む、ワイヤレス電気通信ネットワーク・ノードの方法が、提供されている。
【０００６】
第１の態様は、ユーザ機器の展開に伴う深刻化する問題が、それらが高い減衰を受けるエリアにおいて展開される可能性があることであることを認識するものである。この高い減衰は、ユーザ機器が、構成情報を復号することができないようにさせる可能性があり、この構成情報は、適切なトラフィックにアクセスすることができるようにするために不可欠である。これは、高い減衰のこれらのエリアにおいて展開されるときに、ユーザ機器が、基地局に対してトラフィックを効果的に送信することができない、または基地局からトラフィックを効果的に受信することができないことを意味している。第１の態様はまた、既存の規格が、高い減衰の展開においては、この構成情報を証明するための十分な技法を提供することに失敗することを認識しており、これは、これらの規格を実施するユーザ機器が、そのような展開中にネットワークと通信することができないことを意味している。第１の態様は、さらに、これが、これらの高い減衰のエリアに位置しているときに、あるユーザ機器のためには不都合であるが、カバレッジが、ユーザ機器がより低い減衰のエリアへと移動するときに、回復させられることと、しかし、ひとたびインストールされた後に、移動することができないユーザ機器（例えば、スマート・メーターなどのマシン型通信デバイスなど）の新たに発生したクラスが、存在しており、これらのユーザ機器については、ネットワーク・カバレッジが、提供されないこととを認識している。
【０００７】
それに応じて、ワイヤレス電気通信ネットワーク・ノードの方法が、提供される。本方法は、開始されたランダム・アクセス・チャネルＲＡＣＨプロシージャが、接続を確立することに失敗するときに、ＲＡＣＨプリアンブル・シグネチャが、アップリンク・チャネルのリソース・ブロックの定義された、またはあらかじめ割り付けられたセットを使用して、定期的に繰り返されるステップを含むことができる。このようにして、従来のＲＡＣＨプロシージャが、ネットワークとの接続を確立することに失敗するときに、修正されたＲＡＣＨプロシージャが、その代わりに開始される。この修正されたＲＡＣＨプロシージャは、アップリンク・チャネルから繰り返して割り付けられるリソース・ブロックのセットを使用して、繰り返してＲＡＣＨプリアンブル・シグネチャを送信する。これは、ＲＡＣＨプリアンブル・シグネチャが、繰り返して送信されることを可能にしており、その結果、これらの繰り返された送信からのエネルギーは、例えば、地階に位置しているＭＴＣデバイスなど、不十分なカバレッジ・エリアにおけるネットワーク・ノードによって送信されるＲＡＣＨプリアンブル・シグネチャの存在を検出するために、ネットワークによって結合されることもある。
【０００８】
一実施形態においては、繰り返して送信するステップは、アップリンク・チャネルのリソース・ブロックの定期的に繰り返す定義されたセットを使用して、同一のＲＡＣＨプリアンブル・シグネチャを繰り返して送信するステップを含んでいる。それに応じて、同じＲＡＣＨプリアンブル・シグネチャは、割り付けられたリソースを使用して繰り返して送信されることもある。同じＲＡＣＨプリアンブル・シグネチャのこの繰り返された送信は、組み合わされた送信の内部のそのシグネチャの検出を容易にする。
【０００９】
一実施形態においては、リソース・ブロックの定期的に繰り返す定義されたセットは、アップリンク・チャネルのサブフレームの定期的に繰り返す選択内のリソース・ブロックの定期的に繰り返すグループを含んでいる。それに応じて、リソース・ブロックのグループは、サブフレームの内部に割り付けられることもあり、またサブフレームの内部のリソース・ブロックの同じ繰り返す割付けは、定義されたセットの各々の定期的な繰り返し中に起こる可能性がある。
【００１０】
一実施形態においては、繰り返して送信するステップは、サブフレームの定期的に繰り返す選択内のリソース・ブロックの各々の定期的に繰り返すグループの中で、同一のＲＡＣＨプリアンブル・シグネチャを繰り返して送信するステップを含んでいる。
【００１１】
それに応じて、定義されたセットの内部のリソース・ブロックの各グループを使用して、ＲＡＣＨプリアンブル・シグネチャを送信することができる。すなわち、ＲＡＣＨプリアンブル・シグネチャは、同じ定義されたセットの内部で、複数回、繰り返されることもある。
【００１２】
一実施形態においては、同一のＲＡＣＨプリアンブル・シグネチャは、ＲＡＣＨプリアンブル・シグネチャのシーケンスを含んでおり、また繰り返して送信するステップは、サブフレームの定期的に繰り返す選択内で、リソース・ブロックの定期的に繰り返すグループを使用して、ＲＡＣＨプリアンブル・シグネチャのシーケンスを繰り返して送信するステップを含んでいる。それに応じて、ＲＡＣＨプリアンブル・シグネチャは、ＲＡＣＨプリアンブル・シグネチャのシーケンスから構成されることもあり、またそのシーケンスは、定義されたセットの内部で、リソース・ブロックのグループによって送信されることもある。
【００１３】
一実施形態においては、本方法は、複数の定期的に繰り返す定義されたセットについての表示を受信するステップを含んでいる。それに応じて、複数の定義されたセットが、提供されることもあり、これらの定義されたセットの各々は、ＲＡＣＨプリアンブル・シグネチャの送信のために利用されることもある。
【００１４】
一実施形態においては、各々の定義されたセットは、選択されたサブフレームからのリソース・ブロックの異なる選択されたグループを含んでいる。異なるサブフレームから選択されるリソース・ブロックの異なるグループを有することは、各々の定義されたセットのスペクトル・ダイバーシティを保証するのに役立つ。
【００１５】
一実施形態においては、各々の定義されたセットは、選択されたサブフレームからの選択されたサブバンドからのリソース・ブロックの選択されたグループを含んでいる。
【００１６】
一実施形態においては、少なくとも１つの定義されたセットは、少なくとも１つの選択されたサブフレームからの選択されたリソース・ブロックの少なくとも１つの不連続のグループを含んでいる。グループの内部の不連続な、隣接している、または隣り合ったリソース・ブロックを利用することにより、ＲＡＣＨプリアンブル・シグネチャの送信の電力スペクトル密度を増大させるのに役立つ。
【００１７】
一実施形態においては、少なくとも１つの定義されたセットは、選択されたサブフレームからのサブバンド・エッジにおける選択されたリソース・ブロックの少なくとも１つの不連続のグループを含んでいる。サブバンド・エッジに位置している不連続のグループの内部にリソース・ブロックを含むことは、タイミング同期化を維持するのに役立つ。
【００１８】
一実施形態においては、本方法は、複数の定義されたセットから定義されたセットをランダムに選択するステップを含んでいる。定義されたセットをランダムに選択することは、異なるネットワーク・ノードの間で送信の衝突を防止するのに役立つ。
【００１９】
一実施形態においては、本方法は、定義されたセットとして、各サブバンドの内部にリソース・ブロックを有する複数の定義されたセットのうちの１つを選択するステップを含んでいる。各サブバンドにおいてリソース・ブロックを有する定義されたセットを選択することにより、スペクトル・ダイバーシティを提供しており、またＲＡＣＨプリアンブル・シグネチャの検出において支援することもある。
【００２０】
一実施形態においては、本方法は、定義されたセットとして、選択されたサブバンドの内部に主としてリソース・ブロックを有する複数の定義されたセットのうちの１つを選択するステップを含んでいる。それに応じて、定義されたセットは、リソース・ブロックの大多数が、そのサブバンドの内部でＲＡＣＨプリアンブル・シグネチャの送信を強化するために特定のサブバンドの内部にあるように選択されることもある。
【００２１】
一実施形態においては、本方法は、最強の受信されたパイロットのサブバンドを決定し、また、定義されたセットとして、サブバンドの内部に主としてリソース・ブロックを有する複数の定義されたセットのうちの１つを選択するステップを含んでいる。それに応じて、その上で最強のパイロット信号が受信されているそのサブバンドが、選択されることもある。これは、そのサブバンドの上のＲＡＣＨプリアンブル・シグネチャの送信が、ネットワークによって受信されそうである可能性を最大にするのに役立つ。
【００２２】
一実施形態においては、本方法は、ネットワーク・ノードについてのサービス要件を決定し、また、定義されたセットとして、サービス要件に最も厳密にマッチする特性を有する複数の定義されたセットのうちの１つを選択するステップを含んでいる。それに応じて、定義されたセットの特性は、それらが、ネットワーク・ノードの要件に最もマッチするように選択されることもある。そのような要件は、例えば、アクセス・タイム、サービス品質、または優先順位とすることができる。高いサービス要件を有するネットワーク・ノードでは、定義されたセットの内部の割り付けられたリソース・ブロックの密度は、より低いサービス要件のネットワーク・ノードのために適している定義されたセットのこれらよりも高いことになる。
【００２３】
一実施形態においては、本方法は、ランダム・アクセス応答メッセージが、受信されるときに、ＲＡＣＨプリアンブル・シグネチャを送信することを停止するステップを含んでいる。プリアンブル・シグネチャの送信を停止することは、他のネットワーク・ノードによる使用のためにリソースを自由にするのに役立つ。
【００２４】
一実施形態においては、本方法は、ランダム・アクセス応答メッセージの受信に続く定義された期間にわたってＲＡＣＨプロシージャの開始を防止するステップを含んでいる。それに応じて、万一、修正されたＲＡＣＨプロシージャの繰り返すＲＡＣＨプリアンブル・シグネチャが正しく受信され、また復号されていることを示すランダム・アクセス応答メッセージが、受信される場合、そのときには従来のＲＡＣＨプロシージャは、接続を確立することができない可能性があるので、ある期間にわたってバイパスされる。
【００２５】
一実施形態においては、本方法は、前記定義されたセットのうちの第１の定義されたセットを使用して、ＲＡＣＨプリアンブル送信に応じてランダム・アクセス応答メッセージを受信することに応じて、第１のフォーマットを有するチャネルを受信するステップと、前記定義されたセットのうちの第２の定義されたセットを使用して、ＲＡＣＨプリアンブル送信に応じてランダム・アクセス応答メッセージを受信することに応じて、第２のフォーマットを有するチャネルを受信するステップとを含む。
【００２６】
一実施形態においては、本方法は、前記定義されたセットのうちの第１の定義されたセットを使用して、ＲＡＣＨプリアンブル送信に応じてランダム・アクセス応答メッセージを受信することに応じて、第１のフォーマットを有するチャネルを送信するステップと、前記定義されたセットのうちの第２の定義されたセットを使用して、ＲＡＣＨプリアンブル送信に応じてランダム・アクセス応答メッセージを受信することに応じて、第２のフォーマットを有するチャネルを送信するステップとを含む。
【００２７】
一実施形態においては、複数の異なるＲＡＣＨプリアンブル・シグネチャが、定義され、また本方法は、ＲＡＣＨプリアンブル・シグネチャとして複数の異なるＲＡＣＨプリアンブル・シグネチャのうちの１つを選択するステップを含んでいる。
【００２８】
一実施形態においては、複数の異なるＲＡＣＨプリアンブル・シグネチャのうちの１つは、ランダムに選択される。
【００２９】
一実施形態においては、ＲＡＣＨプロシージャと、繰り返されたＲＡＣＨプリアンブル・シグネチャとは、同じＲＡＣＨプリアンブル・シグネチャを含んでいる。
【００３０】
第２の態様によれば、ＲＡＣＨプロシージャを開始した後に接続を確立することに失敗すると、アップリンク・チャネルのリソース・ブロックの定義されたセットを使用してＲＡＣＨプリアンブル・シグネチャを繰り返して送信するように動作可能な送信ロジックを備えているネットワーク・ノードが、提供されている。
【００３１】
一実施形態においては、送信ロジックは、アップリンク・チャネルのリソース・ブロックの定期的に繰り返す定義されたセットを使用して、同一のＲＡＣＨプリアンブル・シグネチャを繰り返して送信するように動作可能である。
【００３２】
一実施形態においては、リソース・ブロックの定期的に繰り返す定義されたセットは、アップリンク・チャネルのサブフレームの定期的に繰り返す選択内のリソース・ブロックの定期的に繰り返すグループを含んでいる。
【００３３】
一実施形態においては、送信ロジックは、サブフレームの定期的に繰り返す選択内のリソース・ブロックの各々の定期的に繰り返すグループの中で、同一のＲＡＣＨプリアンブル・シグネチャを繰り返して送信するように動作可能である。
【００３４】
一実施形態においては、同一のＲＡＣＨプリアンブル・シグネチャは、ＲＡＣＨプリアンブル・シグネチャのシーケンスを含んでおり、また送信ロジックは、サブフレームの定期的に繰り返す選択内のリソース・ブロックの定期的に繰り返すグループを使用して、ＲＡＣＨプリアンブル・シグネチャのシーケンスを繰り返して送信するように動作可能である。
【００３５】
一実施形態においては、ネットワーク・ノードは、複数の定期的に繰り返す定義されたセットについての表示を受信するように動作可能なロジックを備えている。
【００３６】
一実施形態においては、各々の定義されたセットは、選択されたサブフレームからのリソース・ブロックの異なる選択されたグループを含んでいる。
【００３７】
一実施形態においては、各々の定義されたセットは、選択されたサブフレームからの選択されたサブバンドからのリソース・ブロックの選択されたグループを含んでいる。
【００３８】
一実施形態においては、少なくとも１つの定義されたセットは、少なくとも１つの選択されたサブフレームからの選択されたリソース・ブロックの少なくとも１つの不連続のグループを含んでいる。
【００３９】
一実施形態においては、少なくとも１つの定義されたセットは、選択されたサブフレームからのサブバンド・エッジにおける選択されたリソース・ブロックの少なくとも１つの不連続のグループを含んでいる。
【００４０】
一実施形態においては、送信ロジックは、複数の定義されたセットから定義されたセットをランダムに選択するように動作可能である。
【００４１】
一実施形態においては、送信ロジックは、定義されたセットとして、各サブバンドの内部にリソース・ブロックを有する複数の定義されたセットのうちの１つを選択するように動作可能である。
【００４２】
一実施形態においては、送信ロジックは、定義されたセットとして、選択されたサブバンドの内部に主としてリソース・ブロックを有する複数の定義されたセットのうちの１つを選択するように動作可能である。
【００４３】
一実施形態においては、ネットワーク・ノードは、最強の受信されたパイロットのサブバンドを決定するように動作可能な決定ロジックを備えており、またそこでは、送信ロジックは、定義されたセットとして、サブバンドの内部に主としてリソース・ブロックを有する複数の定義されたセットのうちの１つを選択するように動作可能である。
【００４４】
一実施形態においては、ネットワーク・ノードは、ネットワーク・ノードについてのサービス要件を決定するように動作可能な決定ロジックを備えており、またそこでは、送信ロジックは、定義されたセットとして、サービス要件に最も厳密にマッチする特性を有する複数の定義されたセットのうちの１つを選択するように動作可能である。
【００４５】
一実施形態においては、送信ロジックは、ランダム・アクセス応答メッセージが受信されるときに、ＲＡＣＨプリアンブル・シグネチャの送信を停止するように動作可能である。
【００４６】
一実施形態においては、送信ロジックは、ランダム・アクセス応答メッセージの受信に続く定義された期間にわたってＲＡＣＨプロシージャの開始を防止するように動作可能である。
【００４７】
一実施形態においては、ネットワーク・ノードは、前記定義されたセットのうちの第１の定義されたセットを使用して、ＲＡＣＨプリアンブル送信に応じてランダム・アクセス応答メッセージを受信することに応じて、第１のフォーマットを有するチャネルを受信し、また前記定義されたセットのうちの第２の定義されたセットを使用して、ＲＡＣＨプリアンブル送信に応じてランダム・アクセス応答メッセージを受信することに応じて、第２のフォーマットを有するチャネルを受信するように動作可能なロジックを備えている。
【００４８】
一実施形態においては、ネットワーク・ノードは、前記定義されたセットのうちの第１の定義されたセットを使用して、ＲＡＣＨプリアンブル送信に応じてランダム・アクセス応答メッセージを受信することに応じて、第１のフォーマットを有するチャネルを送信し、また前記定義されたセットのうちの第２の定義されたセットを使用して、ＲＡＣＨプリアンブル送信に応じてランダム・アクセス応答メッセージを受信することに応じて、第２のフォーマットを有するチャネルを送信するように動作可能なロジックを備えている。
【００４９】
一実施形態においては、複数の異なるＲＡＣＨプリアンブル・シグネチャが、定義され、またそこでは、送信ロジックは、ＲＡＣＨプリアンブル・シグネチャとして複数の異なるＲＡＣＨプリアンブル・シグネチャのうちの１つを選択するように動作可能である。
【００５０】
一実施形態においては、ＲＡＣＨプロシージャと、繰り返されたＲＡＣＨプリアンブル・シグネチャとは、同じＲＡＣＨプリアンブル・シグネチャを含んでいる。
【００５１】
第３の態様によれば、ＲＡＣＨプリアンブル・シグネチャを検出するために、アップリンク・チャネルのリソース・ブロックの定義されたセットを使用して受信される送信された信号を繰り返して結合するステップを含むワイヤレス電気通信ネットワーク・ノードの方法が、提供されている。
【００５２】
一実施形態においては、繰り返して結合するステップは、同一の、繰り返すＲＡＣＨプリアンブル・シグネチャを検出するために、アップリンク・チャネルのリソース・ブロックの定期的に繰り返す定義されたセットを使用して受信される信号を繰り返して結合するステップを含んでいる。
【００５３】
一実施形態においては、リソース・ブロックの定期的に繰り返す定義されたセットは、アップリンク・チャネルのサブフレームの定期的に繰り返す選択内のリソース・ブロックの定期的に繰り返すグループを含んでいる。
【００５４】
一実施形態においては、繰り返して結合するステップは、サブフレームの定期的に繰り返す選択内のリソース・ブロックの各々の定期的に繰り返すグループの中で受信される信号を繰り返して結合するステップを含んでいる。
【００５５】
一実施形態においては、繰り返して結合するステップは、同一の、繰り返すＲＡＣＨプリアンブル・シグネチャを検出するために、サブフレームの定期的に繰り返す選択内のリソース・ブロックの各々の定期的に繰り返すグループの中で信号を繰り返して結合するステップを含んでいる。
【００５６】
一実施形態においては、本方法は、複数の定期的に繰り返す定義されたセットについての表示を送信するステップを含んでいる。
【００５７】
一実施形態においては、繰り返して結合するステップは、ＲＡＣＨプリアンブル・シグネチャを検出するために、アップリンク・チャネルのリソース・ブロックの各々の定期的に繰り返す定義されたセットを使用して受信される信号を繰り返して結合するステップを含んでいる。
【００５８】
一実施形態においては、各々の定義されたセットは、選択されたサブフレームからのリソース・ブロックの異なる選択されたグループを含んでいる。
【００５９】
一実施形態においては、各々の定義されたセットは、選択されたサブフレームからの選択されたサブバンドからのリソース・ブロックの選択されたグループを含んでいる。
【００６０】
一実施形態においては、少なくとも１つの定義されたセットは、少なくとも１つの選択されたサブフレームからの選択されたリソース・ブロックの少なくとも１つの不連続のグループを含んでいる。
【００６１】
一実施形態においては、少なくとも１つの定義されたセットは、選択されたサブフレームからのサブバンド・エッジにおける選択されたリソース・ブロックの少なくとも１つの不連続のグループを含んでいる。
【００６２】
一実施形態においては、本方法は、ＲＡＣＨプリアンブル・シグネチャの検出のすぐ後に、ランダム・アクセス応答メッセージを送信するステップを含んでいる。
【００６３】
第４の態様によれば、ＲＡＣＨプリアンブル・シグネチャを検出するために、アップリンク・チャネルのリソース・ブロックの定義されたセットを使用して受信される繰り返して送信された信号を結合するように動作可能な受信ロジックを備えているネットワーク・ノードが、提供されている。
【００６４】
一実施形態においては、受信ロジックは、同一の、繰り返すＲＡＣＨプリアンブル・シグネチャを検出するために、アップリンク・チャネルのリソース・ブロックの定期的に繰り返す定義されたセットを使用して受信される信号を繰り返して結合するように動作可能である。
【００６５】
一実施形態においては、リソース・ブロックの定期的に繰り返す定義されたセットは、アップリンク・チャネルのサブフレームの定期的に繰り返す選択内のリソース・ブロックの定期的に繰り返すグループを含んでいる。
【００６６】
一実施形態においては、受信ロジックは、サブフレームの定期的に繰り返す選択内のリソース・ブロックの各々の定期的に繰り返すグループの中で受信される信号を繰り返して結合するように動作可能である。
【００６７】
一実施形態においては、受信ロジックは、同一の、繰り返すＲＡＣＨプリアンブル・シグネチャを検出するために、サブフレームの定期的に繰り返す選択内のリソース・ブロックの各々の定期的に繰り返すグループの中で、信号を繰り返して結合するように動作可能である。
【００６８】
一実施形態においては、ネットワーク・ノードは、複数の定期的に繰り返す定義されたセットについての表示を送信するように動作可能なロジックを備えている。
【００６９】
一実施形態においては、受信ロジックは、ＲＡＣＨプリアンブル・シグネチャを検出するために、アップリンク・チャネルのリソース・ブロックの各々の定期的に繰り返す定義されたセットを使用して受信される繰り返して送信された信号を結合するように動作可能である。
【００７０】
一実施形態においては、各々の定義されたセットは、選択されたサブフレームからのリソース・ブロックの異なる選択されたグループを含んでいる。
【００７１】
一実施形態においては、各々の定義されたセットは、選択されたサブフレームからの選択されたサブバンドからのリソース・ブロックの選択されたグループを含んでいる。
【００７２】
一実施形態においては、少なくとも１つの定義されたセットは、少なくとも１つの選択されたサブフレームからの選択されたリソース・ブロックの少なくとも１つの不連続のグループを含んでいる。
【００７３】
一実施形態においては、少なくとも１つの定義されたセットは、選択されたサブフレームからのサブバンド・エッジにおける選択されたリソース・ブロックの少なくとも１つの不連続のグループを含んでいる。
【００７４】
一実施形態においては、ネットワーク・ノードは、ＲＡＣＨプリアンブル・シグネチャの検出のすぐ後に、ランダム・アクセス応答メッセージを送信するように動作可能な送信ロジックを備えている。
【００７５】
第５の態様によれば、コンピュータの上で実行されるときに、第１の態様または第３の態様の方法ステップを実行するように動作可能なコンピュータ・プログラム製品が、提供されている。
【００７６】
さらなる特定の態様、および好ましい態様は、添付の独立請求項と、従属請求項との中で提示される。従属請求項の特徴は、必要に応じて独立請求項の特徴と組み合わされることもあり、また特許請求の範囲の中で明示的に提示されるこれらの組合せ以外の組合せの形で組み合わされることもある。
【００７７】
装置の特徴が、機能を提供するように動作可能であるように説明される場合に、これは、その機能を提供し、またはその機能を提供するように適合され、または構成されている装置の特徴を含んでいることが、理解されるであろう。
【００７８】
本発明の実施形態は、次に、添付の図面を参照して、さらに説明されるであろう。
【図面の簡単な説明】
【００７９】
【図１】組み合わせセット（ｃｏｍｂｉｎｉｎｇ  ｓｅｔ）のためのリソース・ブロックの例示の構成を示す図である。
【図２】２つの組み合わせセットのためにリソース・ブロックを割り付ける例示の一実施形態を示す図である。
【発明を実施するための形態】
【００８０】
概説
より詳細に実施形態を考察する前に、最初に概説が提供される。マシン型通信（ＭＴＣ：Ｍａｃｈｉｎｅ  Ｔｙｐｅ  Ｃｏｍｍｕｎｉｃａｔｉｏｎ）デバイスは、特定のアプリケーションのためにマシンによって使用されるユーザ機器（ＵＥ：ｕｓｅｒ  ｅｑｕｉｐｍｅｎｔ）である。そのようなＭＴＣデバイスの一例が、スマート・ユーティリティ・メーターである。上記で述べられるように、これらのスマート・メーターのうちのいくつかは、地階に位置している可能性があり、これらは、高い侵入損失を受け、またそれゆえに、ＭＴＣデバイスが、ネットワークと通信することは、難しい。それゆえに、これらのＭＴＣデバイスのカバレッジを２０ｄＢだけ拡張することが望ましい。
【００８１】
繰り返しは、メッセージの受信信号を改善する１つのやり方である。ここで、レシーバは、信号エネルギーが、メッセージが信頼できるように復調され得るように十分に強いポイントまで各々の繰り返された信号の信号エネルギーを蓄積する。メッセージは、通常、時間内に繰り返され、また大きなカバレッジの改善のために、大量の繰り返しが、必要とされることもある。遅延に耐性のあるユーザ・データの場合には、長い期間にわたっての大量の繰り返し拡散が、実現可能である。
【００８２】
実施形態は、ある技法を提供しており、それによって、例えば、アップリンク・チャネルの内部のリソースが、異なるセットに割り付けられる。各々の定義されたセットは、アップリンク・チャネルのサブフレームの内部に、いくつかのリソース・ブロックを含んでいる。例えば、定義されたセットは、アップリンク・チャネルの内部の、複数の連続したサブフレームの各々の中にリソース・ブロックを含むことができる。定義されたセットの内部のこれらのリソース・ブロックは、ユーザ機器からネットワークへのＲＡＣＨプリアンブル・シグネチャの送信のために利用されることもある。ひとたび、これらのリソース・ブロックを使用したＲＡＣＨプリアンブル・シグネチャの送信が、例えば、複数のサブフレームを通して完了された後に、これは、次いで、ＲＡＣＨプリアンブル・シグネチャが、正しく検出されていることを示す表示が、受信されるまで、次に続く複数のサブフレームの中で、繰り返される。ネットワークはまた、定義されたセットについて知っており、またＲＡＣＨプリアンブル・シグネチャが、識別され得るかどうかを検出しようと試みるために、定義されたセットのこれらのリソース・ブロックの内部から受信されるエネルギーを結合しているであろう。繰り返された送信のこの結合は、不十分なカバレッジ・エリアの中に位置しているユーザ機器によって送信されるときでさえ、ＲＡＣＨプリアンブル・シグネチャを区別する能力を増大させるのに役立つ。実施形態は、リソース・ブロックのグループの複数の異なる定義されたセットを提供しており、これらのリソース・ブロックの各々は、異なる状態のために最適化されることもある。ユーザ機器は、ランダムに、またはユーザ機器が経験している状態に基づいてのいずれかで、これらの定義されたセットのうちの１つを選択することができる。基地局は、これらの定義されたセットの各々の内部でＲＡＣＨプリアンブル・シグネチャを復号し、またいつそのような検出が成功するかを識別することを絶えず試みるであろう。
【００８３】
従来のＲＡＣＨプロシージャ
ランダム・アクセスにおいては、ネットワークにアクセスしたいと望むＭＴＣ（またはＵＥ）は、ランダムに選択されたＲＡＣＨプリアンブル・シグネチャを送信する。基地局（ｅＮＢ）が、ＲＡＣＨ送信を検出することに失敗する場合、ＵＥは、別のランダムに選択されたＲＡＣＨプリアンブル・シグネチャを用いて、より高い電力で再試行するであろう。ＭＴＣが、カバレッジの外にある場合、最大電力で送信されるＲＡＣＨプリアンブル・シグネチャは、ｅＮＢが、失敗したＲＡＣＨ送信について知らないので、ｅＮＢによって検出されないであろう。異なるフォーマットのＲＡＣＨシグネチャも、可能である。とりわけ、ＲＡＣＨフォーマット２および３は、中間のセルと大きなセルとをサポートするために指定される。これらのＲＡＣＨフォーマットは、通常の使用の場合のこれらのＲＡＣＨフォーマット（すなわち、ＲＡＣＨフォーマット０）の２倍の長さのプリアンブル・シグネチャを有する。１つのそのようなフォーマットだけが、それがセル・サイズのために設計されるので、構成される可能性がある。ＭＴＣのためにこのＲＡＣＨフォーマットを使用することは、たとえそれが必要とされないとしても、レガシー・ユーザが、長いプリアンブル・シグネチャを採用するように強制するであろう。それに応じて、実施形態は、ＲＡＣＨカバレッジを増大させるための技法を提供しようとする。
【００８４】
ＲＡＣＨリソース
実施形態は、ＲＡＣＨ信号方式のためのリソースの２つのタイプのセット（すなわち、リソース・ブロック（ＲＢ：ｒｅｓｏｕｒｃｅ  ｂｌｏｃｋ）およびサブフレーム）を、すなわち、リソースの組み合わせセットと、リソースの非組み合わせセット（ｎｏｎ−ｃｏｍｂｉｎｉｎｇ  ｓｅｔ）とを定義する技法を提供する。
【００８５】
信号方式は、ＵＥに対して組み合わせセットおよび非組み合わせセットのリソース（一般的に、時間と周波数とにおける）を示すために提供される。
【００８６】
組み合わせセットは、ｅＮＢレシーバにおいて、すなわち、ＲＡＣＨカバレッジの拡張を必要とするＭＴＣデバイスのために、結合され、または蓄積され得るＲＡＣＨプリアンブル・シグネチャを繰り返して送信するために使用されるリソース（ＲＢおよびサブフレーム）のセットを含んでいる。ＭＴＣデバイスは、一般的に、少なくとも２つのＲＡＣＨプリアンブル・シグネチャを送信し、ここで、各ＲＡＣＨプリアンブル・シグネチャは、組み合わされたセット（ｃｏｍｂｉｎｅｄ  ｓｅｔ）の中で、定義されるリソースを使用して送信される。第１のＲＡＣＨプリアンブル・シグネチャは、一般的に、上記で述べられる従来のＲＡＣＨプロシージャのように、ＭＴＣデバイスによってランダムに選択される。後続のＲＡＣＨプリアンブル・シグネチャは、一般的に、第１のＲＡＣＨプリアンブル・シグネチャのＲＡＣＨプリアンブル・シグネチャと同じであるが、組み合わせ技法に遷移するときに、ランダムに選択されることもあり、同じ選択されたＲＡＣＨプリアンブル・シグネチャは、次いで、組み合わせセットのリソース・ブロックを使用して繰り返される。ＲＡＣＨプリアンブル・シグネチャのシーケンスは、組み合わせセットのリソース・ブロックによって送信されることもあり、またＲＡＣＨプリアンブル・シグネチャのこのシーケンスは、次いで、組み合わせセットのリソース・ブロックの各々の繰り返しによって繰り返される。ｅＮＢは、これらのリソースの各々から信号エネルギーを蓄積し、すなわち、ＲＡＣＨプリアンブル・シグネチャを結合することは、ＲＡＣＨについて検出しようと試みるために一緒に繰り返す。複数の組み合わせセットが、構成されている可能性があり、またこれらの組み合わせセットの中のリソースは、オーバーラップすることができる。組み合わせセットは、ブロードキャストされた、または専用のＲＲＣ信号方式を使用して、ＭＴＣデバイスに対して示される可能性がある。万一、ユーザ機器が、組み合わせセットを使用して、ネットワークとの接続を確立する必要がある場合、そのときには、ユーザ機器は、従来のＲＡＣＨプロシージャが、もう一度失敗することになる可能性が高いので、その後に、選択された期間、または固定された期間にわたって、従来のＲＡＣＨプロシージャを使用して、ネットワークとのその後の接続を確立しようと試みることをバイパスし、または防止することができる。
【００８７】
上記で述べられる従来のＲＡＣＨプロシージャのために使用されるグループ（サブフレームの中の）を形成するリソース・ブロックの数は、６である。実施形態において単一のＲＡＣＨ送信のために定義されるリソース・ブロックの数は、上記で述べられた従来のＲＡＣＨプロシージャのために使用されるリソース・ブロックの数とは異なる可能性があることに注意すべきである。例えば、２つのサブフレームの上の３つのリソース・ブロックの２つのグループを使用して、単一のＲＡＣＨ送信を送信することができ、これは、ＲＡＣＨプリアンブル・シグネチャにおける、より高い電力スペクトル密度（ＰＳＤ：ｐｏｗｅｒ  ｓｐｅｃｔｒａｌ  ｄｅｎｓｉｔｙ）をもたらし、またレシーバにおける雑音電力を低下させることになる（より小さな帯域幅が使用されるので）。単一のＲＡＣＨ送信のために使用されるリソース・ブロックは、時間または周波数において連続している必要はないことにも注意すべきである。一実施形態においては、グループを形成するより高いＰＳＤを有する、サブフレーム当たりのＲＢの低減された数は、周波数において分離される。例えば、１つのグループは、従来のＲＡＣＨリソースの外側の２つのＲＢだけを含んでいることもあり、これは、すべてのＲＢを使用する（少なくとも無線伝搬チャネルが、強い周波数選択的なものでない場合）従来のＲＡＣＨ送信と同じタイミング分解能精度を保持する利点を有している。
【００８８】
非組み合わせセットは、上記で述べられた従来のＲＡＣＨプロシージャのためのリソースを含んでいる。これらのリソースは、上記で述べられた従来のＲＡＣＨプロシージャにおいて、従来のＲＡＣＨプロシージャのために、使用される同じリソースである。非組み合わせセットの中のリソースは、組み合わせセットの中のこれらのリソースとオーバーラップする可能性がある。例えば、一実施形態においては、組み合わせセットは、非組み合わせセットの代替的なリソースから構成されることもあり、組み合わせまたは蓄積したＲＡＣＨ送信が、複数のリソースを占有することになることを仮定すると、この種類の構成は、組み合わせＲＡＣＨと、非組み合わせＲＡＣＨとの両方についてのリソースの単一のセットの使用と比べて、非−ＭＴＣデバイスのためのＲＡＣＨリソースのブロッキングを低減させる（すなわち、アクセス遅延を低減させる）。完全にオーバーラップしていない組み合わせセットと、非組み合わせセットとは、ＭＴＣデバイスからの組み合わせたＲＡＣＨ送信の結果として非−ＭＴＣデバイスについてのアクセス遅延におけるどのような増大も完全に回避するという利点を有しているが、そのような構成は、より高いリソースのオーバーヘッドを招くものである。
【００８９】
一実施形態においては、ＭＴＣデバイスは、組み合わせセットのうちの１つをランダムに選択して、そのＲＡＣＨプリアンブル・シグネチャを送信する。この実施形態は、複数のＭＴＣデバイスが、同時にネットワークにアクセスしようと試みることもあり、またそれゆえに、組み合わせセットの選択をランダム化することは、ＲＡＣＨ衝突を回避するのに役立つことを認識している。
【００９０】
組み合わせセット
図１は、組み合わせセットについてのリソース・ブロックの例示の構成を示すものである。組み合わせセット１０を形成するリソース・ブロックは、サブフレームの内部の使用可能なリソース・ブロックから割り付けられる。この例においては、リソース・ブロック２０−１から２０−４の４つのグループが、組み合わせセットに割り付けられる。各グループ２０−１から２０−４は、サブフレームの内部で割り付けられる６つのリソース・ブロック３０から形成される。組み合わせセットのために定義されるリソース・ブロックは、一般的に、図１に示されるように、定期的に割り付けられ、または繰り返され、ここでは、組み合わせセット１０は、５つのサブフレームに及ぶように定義され、また各々の次の５つのサブフレームの中で定期的に繰り返される。
【００９１】
シグネチャ
一実施形態においては、ＲＡＣＨ繰り返し（すなわち、送信されるべきＲＡＣＨプリアンブル・シグネチャの量）は、組み合わせセットのサイズとは独立している。例えば、図１において、ＲＡＣＨプリアンブル・シグネチャが、１つのサブフレームの割り付けられたリソース・ブロックを占有し、またその繰り返しが、１０である場合、そのときには、ＲＡＣＨプリアンブル・シグネチャは、２つの組み合わせセットの上で繰り返される。
【００９２】
ＲＡＣＨプリアンブル・シグネチャの繰り返しは、ＭＴＣデバイス特有とすることができ、すなわち、セルの中の異なるＭＴＣデバイスは、異なるＲＡＣＨプリアンブル・シグネチャの繰り返しファクタを有することができる。他方では、ＲＡＣＨの繰り返しが、組み合わせセットのサイズよりも小さい場合、そのときには、ＲＡＣＨの繰り返しは、組み合わせセットの周期の終了に先立って停止することができる。ＭＴＣデバイスはまた、ひとたび、それが、ネットワークから肯定応答（すなわち、ランダム・アクセス応答）を受信した後に、そのＲＡＣＨプリアンブル・シグネチャの繰り返しを停止することもできることに注意すべきである。例えば、ＭＴＣデバイスが、最大で５つの繰り返しを実行するように構成されているが、ＭＴＣデバイスが、２つの繰り返しを送信した後にランダム・アクセス応答を受信する場合、そのときには、ＭＴＣデバイスは、ＲＡＣＨプリアンブル・シグネチャの送信（繰り返し）についての残りを送信することを停止することができる。
【００９３】
別の実施形態においては、第１のＲＡＣＨプリアンブル・シグネチャの送信は、組み合わせセットの周期の始めに起こる。これは、ｅＮＢの複雑さを低減させることができる、ｅＮＢについての明確に異なるエネルギー蓄積ウィンドウを提供している。
【００９４】
上記で述べられるように、ＭＴＣデバイスは、プリアンブル・シグネチャの所定のシーケンスを使用することができる。使用可能な６４個のプリアンブル・シグネチャが、存在しており、プリアンブル・シグネチャのシーケンスは、例えば、プリアンブル・シグネチャ５、１０、３２および１とすることができる。ＭＴＣデバイスは、組み合わせセットの中のリソース・ブロックの各々において各プリアンブル・シグネチャを送信する。例えば、図１において、このＭＴＣデバイスは、第１のサブフレームの中のプリアンブル・シグネチャ５と、第２のサブフレームの中のプリアンブル・シグネチャ１０と、第３のサブフレームの中のプリアンブル・シグネチャ３２と、第５のサブフレームの中のプリアンブル・シグネチャ１とを送信するであろう（組み合わせセットの第４のサブフレームのために構成されたリソースは、存在していない）。
【００９５】
一実施形態においては、ＭＴＣデバイスは、最初に、非組み合わせセットの中のリソースを使用して、ランダム・アクセスを実行することができる。所定の数の試みの上で、所定の電力に到達した後にネットワークにアクセスすることに失敗する場合、ＭＴＣデバイスは、組み合わせセットを使用することになる。これにより、ｅＮＢにより近接した（すなわち、カバレッジ拡張領域の中にない）ＭＴＣデバイスは、レガシー・リソースを使用することができるようになり、また実際にカバレッジの拡張を必要とするＭＴＣデバイスだけが、カバレッジ拡張のために定義されるこれらのリソースを使用することができるようになる。
【００９６】
例示の実施形態
図２は、２つの組み合わせセット、または蓄積的なセット、すなわち、組み合わせセット１および組み合わせセット２と、１つの非組み合わせセットについてのリソース・ブロックを割り付ける例示の実施形態を示すものである。組み合わせセット１は、５つのサブフレームの周期性を有するが、組み合わせセット２は、１０個のサブフレームの周期性を有している。組み合わせセット１および２は、第３のサブフレームの中にオーバーラップしたリソースを有する。組み合わせセット１の中のリソースはまた、第６のサブフレームの中の非組み合わせセットの中のリソースとオーバーラップする。この例においては、組み合わせセット２の第１のサブフレームのために定義されたリソースは、６つのリソース・ブロックを占有していないが、２つのリソース・ブロックを占有するだけである。これは、以上の節において説明される実施形態のうちの１つを例証するものである。
【００９７】
２つのＭＴＣデバイス、ＭＴＣ１およびＭＴＣ２は、地階に位置しており、また両方は、ネットワークにアクセスすることを望む。両方のデバイスは、８つのＲＡＣＨプリアンブル・シグネチャの繰り返しのために構成されている。以下は、両方のデバイスによって取られるステップであり、すなわち、
１）  ＭＴＣ１は、ＲＡＣＨ送信のための組み合わせセット１を選択するが、ＭＴＣ２は、ＲＡＣＨ送信のための組み合わせセット２をランダムに選択する。
２）  ＭＴＣ１は、ＲＡＣＨプリアンブル・シグネチャ５をランダムに選択するが、ＭＴＣ２は、ＲＡＣＨプリアンブル・シグネチャ１９をランダムに選択する。
３）  サブフレーム１において、すなわち、
ａ．  ＭＴＣ１は、ＲＡＣＨプリアンブル・シグネチャ５を送信し、
ｂ．  ＭＴＣ２は、プリアンブル・シグネチャ１９の２分の１を送信する（リソースの２分の１だけが、使用可能であるので）。ここで、ＲＡＣＨプリアンブルの２分の１は、それが、全部で６つのリソース・ブロックを使用して送信される場合に、そうなるであろうものよりも高い電力スペクトル密度（ＰＳＤ）で送信され、
ｃ．  ＭＴＣ１からのＲＡＣＨ送信は、検出されない。ＭＴＣ２からのＲＡＣＨ送信は、完了しておらず、またそれゆえに、何も検出されない。
４）  サブフレーム２においては、すなわち、
ａ．  ＭＴＣ１は、ＲＡＣＨプリアンブル・シグネチャ５の繰り返しを実行し、
ｂ．  ＭＴＣ２は、プリアンブル・シグネチャ１９の第１の送信の残りの２分の１を送信し、
ｃ．  ｅＮＢは、組み合わせセット１のサブフレーム１と、サブフレーム２とからの信号エネルギーを結合し、
ｄ．  ｅＮＢは、組み合わせセット２のサブフレーム１と、サブフレーム２とからの信号を縦続接続し（各サブフレームが、プリアンブル・シグネチャの２分の１だけを含むことを知っている）、
ｅ．  ｅＮＢは、どのようなＲＡＣＨ送信を検出することに失敗する。
５）  サブフレーム３において、すなわち、
ａ．  ＭＴＣ１は、プリアンブル・シグネチャ５の第３の繰り返しを実行し、
ｂ．  ＭＴＣ２は、プリアンブル・シグネチャ１９（完全なプリアンブル・シグネチャ）の第２の繰り返しを実行し、
ｃ．  ｅＮＢは、組み合わせセットの中の以前のサブフレームからの信号エネルギーを結合するが、どのようなＲＡＣＨ送信を検出することにも失敗する。
６）  リソースは、いずれの組み合わせセットについても定義されないので、何もサブフレーム４の中では送信されない。
７）  サブフレーム５において、すなわち、
ａ．  ＭＴＣ１は、プリアンブル・シグネチャ５のその第４の繰り返しを送信し、
ｂ．  ＭＴＣ２は、プリアンブル・シグネチャ１９のその第３の繰り返しを送信し、
ｃ．  ｅＮＢは、信号エネルギーを結合するが、どのようなＲＡＣＨ送信を検出することにも失敗する。
８）  サブフレーム６において、すなわち、
ａ．  ＭＴＣ１は、プリアンブル・シグネチャ５のその第５の繰り返しを送信し、
ｂ．  ＭＴＣ２は、リソースが、組み合わせセット２についてこのサブフレームにおいては構成されていないので、どのようなプリアンブル・シグネチャを送信することもなく、
ｃ．  ｅＮＢは、組み合わせセット１についての信号エネルギーを結合するが、どのようなＲＡＣＨ送信を検出することにも失敗する。
９）  サブフレーム７において、すなわち、
ａ．  ＭＴＣ１は、プリアンブル・シグネチャ５のその第６の繰り返しを送信し、
ｂ．  ＭＴＣ２は、プリアンブル・シグネチャ１９のその第４の繰り返しを送信し、
ｃ．  ｅＮＢは、信号エネルギーを結合するが、どのようなＲＡＣＨ送信を検出することにも失敗する。
１０）  サブフレーム８において、すなわち、
ａ．  ＭＴＣ１は、プリアンブル・シグネチャ５のその第７の繰り返しを送信し、
ｂ．  ＭＴＣ２は、リソースが、組み合わせセット２についてこのサブフレームにおいては構成されていないので、どのようなＲＡＣＨを送信することもなく、
ｃ．  ｅＮＢは、組み合わせセット１についての信号エネルギーを結合し、またプリアンブル・シグネチャ５を成功裏に検出する。ｅＮＢは、ランダム・アクセス応答をＭＴＣ１に対して送信する。
１１）  サブフレーム９および１０においては、プリアンブル・シグネチャは、ＭＴＣ１またはＭＴＣ２によって送信されない。ＭＴＣ１は、そのランダム・アクセス応答を受信しており、またそれゆえに、そのＲＡＣＨプリアンブル・シグネチャの繰り返しを停止させる。ＭＴＣ２は、ＲＡＣＨプリアンブル・シグネチャの送信のためにどのようなリソースも構成されてはいない。
１２）  サブフレーム１１において、組み合わせセット２の周期的サイクルが、再開され、またＭＴＣ２は、そのＲＡＣＨ送信を用いて継続し、またプリアンブル・シグネチャ１９の第１の２分の１のその第５の繰り返しを送信する。サブフレーム１におけるように、ＭＴＣ２は、プリアンブル・シグネチャの２分の１だけを送信する。
１３）  サブフレーム１２において、ＭＴＣ２は、プリアンブル・シグネチャ１９のその第５の繰り返しの残りの２分の１を送信する。ｅＮＢは、依然として、以前の組み合わせセットのリソースからの信号エネルギーを結合した後に、どのようなＲＡＣＨ送信を検出することにも失敗する。
１４）  サブフレーム１３において、ＭＴＣ２は、プリアンブル・シグネチャ１９のその第６の繰り返しを送信する。このときに、ｅＮＢは、プリアンブル・シグネチャ１９を成功裏に検出し、またランダム・アクセス応答を送信するように進む。ＭＴＣ２についてのＲＡＣＨの繰り返しは、それゆえに終了する。
【００９８】
それに応じて、実施形態は、ＲＡＣＨカバレッジが、例えば、地階などにおける、不十分なカバレッジ・エリアに位置するＭＴＣデバイスのために拡張されることを可能にすることが、分かる。このアプローチは、追加のプリアンブル・シグネチャが、定義されることを必要としていない。
【００９９】
当業者なら、様々な上記に説明された方法のステップが、プログラムされたコンピュータによって実行され得ることを簡単に認識するであろう。本明細書においては、いくつかの実施形態はまた、プログラム・ストレージ・デバイス、例えば、デジタル・データ・ストレージ媒体を対象として含むことも意図しており、このプログラム・ストレージ・デバイスは、マシン読取り可能、またはコンピュータ読取り可能であり、また命令のマシン実行可能なプログラム、またはコンピュータ実行可能なプログラムを符号化しており、そこでは前記命令は、前記上記で説明された方法のステップの一部または全部を実行する。プログラム・ストレージ・デバイスは、例えば、デジタル・メモリ、磁気ディスクや磁気テープなどの磁気ストレージ媒体、ハード・ドライブ、または光学的に読取り可能なデジタル・データ・ストレージ媒体とすることができる。それらの実施形態はまた、上記で説明された方法の前記ステップを実行するようにプログラムされるコンピュータを対象として含むことも意図している。
【０１００】
「プロセッサ」または「ロジック」としてラベル付けされた任意の機能ブロックを含めて、図面の中に示される様々な要素についての機能は、専用のハードウェア、ならびに適切なソフトウェアと関連づけてソフトウェアを実行することができるハードウェアの使用を通して提供されてもよい。プロセッサによって提供されるときに、それらの機能は、単一の専用のプロセッサによって、単一の共用のプロセッサによって、またはそれらのうちのいくつかが共用され得る複数の個別のプロセッサによって提供されてもよい。さらに、「プロセッサ」または「コントローラ」、あるいは「ロジック」という用語の明示的な使用は、ソフトウェアを実行することができるハードウェアだけを排他的に意味するように解釈されるべきではなく、また限定することなく、デジタル信号プロセッサ（ＤＳＰ：ｄｉｇｉｔａｌ  ｓｉｇｎａｌ  ｐｒｏｃｅｓｓｏｒ）のハードウェアと、ネットワーク・プロセッサと、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）と、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）と、ソフトウェアを記憶するためのリード・オンリー・メモリ（ＲＯＭ：ｒｅａｄ  ｏｎｌｙ  ｍｅｍｏｒｙ）と、ランダム・アクセス・メモリ（ＲＡＭ：ｒａｎｄｏｍ  ａｃｃｅｓｓ  ｍｅｍｏｒｙ）と、不揮発性ストレージとを暗黙のうちに含むことができる。他のハードウェアが、従来および／またはカスタムもまた、含められる可能性がある。同様に、図面の中に示される任意のスイッチは、概念的なものにすぎない。それらの機能は、プログラム・ロジックのオペレーションを通して、専用のロジックを通して、プログラム制御と専用のロジックとの相互作用を通して、または手動によってさえも、実行される可能性があり、特定の技法は、文脈からもっと具体的に理解されるように、実装者によって選択可能である。
【０１０１】
本明細書における任意のブロック図は、本発明の原理を実施する実例となる回路の概念図を表すことが、当業者によって理解されるべきである。同様に、任意のフロー・チャートと、流れ図と、状態遷移図と、擬似コードなどとは、コンピュータ読取り可能媒体の形で実質的に表され、またそのようにしてコンピュータまたはプロセッサによって、そのようなコンピュータまたはプロセッサが明示的に示されているか否かにかかわらず、実行され得る様々なプロセスを表すことが、理解されるであろう。
【０１０２】
説明および図面は、単に本発明の原理を示しているにすぎない。したがって、当業者なら、本明細書において明示的に説明されても、または示されてもいないけれど、本発明の原理を実施し、また本発明の精神および範囲の内部に含まれる様々な構成を工夫することができるようになることが理解されるであろう。さらに、本明細書において列挙されるすべての例は、主として、本発明者が当技術を推進することに寄与している本発明の原理および概念を理解するに際して、読者を支援する教育上の目的のためにすぎないように明示的に意図され、またそのように具体的に列挙された例および状態だけに限定することのないように解釈されるべきである。さらに、本発明の原理、態様および実施形態を列挙している本明細書におけるすべての記述、ならびにその特定の例は、その同等物を包含することを意図している。
【図１】
2018056997.tif 000003
【図２】
2018056997.tif 000004